(57)【特許請求の範囲】
【請求項１】
高沸点媒体と低沸点媒体とを混合してなる作動流体が、当該作動流体の溶液を加熱して蒸気を発生する蒸気発生器と、前記蒸気発生器から供給された前記蒸気により駆動する蒸気タービンと、前記蒸気タービンから排出された前記蒸気を冷却して前記溶液に復水させる復水器と、前記復水器から供給された前記溶液を前記蒸気発生器に供給する供給ポンプとの順に夫々を循環する動力サイクル回路を備えた動力システムであって、
前記動力サイクル回路における前記復水器で起り得る最低圧力が大気圧近傍圧力となるように、前記復水器での前記作動流体の低沸点媒体の濃度が決定され、
前記作動流体が、前記低沸点媒体としてのアンモニアと前記高沸点媒体としての水とを混合してなる水−アンモニア系の作動流体であり、
前記復水器での当該作動流体におけるアンモニア濃度が、前記復水器に通ずる冷却水温度の関数として決定され、
前記蒸気タービンを動力源として駆動する圧縮機を備えたヒートポンプ回路を備え、
前記復水器において前記蒸気を冷却して得た温熱により前記ヒートポンプ回路の蒸発器に通ずる温熱源を加熱するように構成されている動力システム。
【請求項２】
前記蒸気発生器が、前記溶液を高温排熱により加熱し、
前記復水器との間で循環する前記溶液を低温排熱により加熱して前記溶液から前記低沸点媒体の蒸気を分離する再生器を備えて、前記再生器で分離した前記低沸点媒体の蒸気を、前記供給ポンプから前記蒸気発生器までの前記溶液に吸収させる、又は、前記蒸気タービンの低圧段に供給するように構成され、
前記再生器から前記復水器に供給される前記溶液を冷却する冷却器を備えた請求項１に記載の動力システム。
【請求項３】
冷却用の冷熱源として地中熱を利用するように構成されている請求項１又は２に記載の動力システム。
【発明の詳細な説明】
【技術分野】
【０００１】
本発明は、高沸点媒体と低沸点媒体とを混合してなる作動流体が、当該作動流体の溶液を加熱して蒸気を発生する蒸気発生器と、前記蒸気発生器から供給された前記蒸気により駆動する蒸気タービンと、前記蒸気タービンから排出された前記蒸気を冷却して前記溶液に復水させる復水器と、前記復水器から供給された前記溶液を前記蒸気発生器に供給する供給ポンプとの順に夫々を循環する動力サイクル回路を備えた動力システムに関する。
【背景技術】
【０００２】
発電用のエンジンなどからエンジン排ガスとして排出される高温排熱や、エンジン冷却水として排出される低温排熱を効率良く回収して、発電機等を駆動するための動力を得るための動力システムが知られている。
この種の動力システムは、上記蒸気発生器において、エンジン排ガス等の高温排熱により作動流体の溶液を蒸発させて当該作動流体の蒸気を発生し、上記蒸気タービンにおいて、その蒸気により得た軸動力により発電機等を駆動し、上記復水器において、蒸気タービンを駆動した後に排出された蒸気を溶液に復水させるというサイクルを実現するものである。この様なサイクルとしては、ランキンサイクルが代表的なものであるが、カリーナサイクルも同様である。
【０００３】
更に、上記作動流体としては、アンモニア等の低沸点媒体と水等の高沸点媒体とを混合してなる水−アンモニア系等の非共沸混合媒体を用い、更に、再生器と吸収器とを備える吸収サイクルを利用して、上記再生器において、復水器で復水した溶液から低沸点媒体を分離すると共に、上記吸収器において、再生器で分離した低沸点媒体を再度復水器で復水した溶液に吸収させて低沸点媒体が非常に多く吸収された高濃度の溶液を生成して、上記蒸気発生器に、その高濃度の溶液を供給するように構成された動力システムが知られている（例えば、特許文献１〜３を参照。）。この様なサイクルをカリーナサイクルと呼んでいる。
また、一般的に、この種の動力システムの復水器等において利用される冷熱源としては、大気熱を利用するように構成されており、例えば、クーリングタワー等で空冷された冷却水が、上記冷熱源として復水器等に供給される。
【０００４】
【特許文献１】特開２００３−１６１１１５号公報
【特許文献２】特開２００１−２４８４０９号公報
【特許文献３】特開２００５−１７１８９１号公報
【発明の開示】
【発明が解決しようとする課題】
【０００５】
上記のようなサイクルを実現する動力システムでは、蒸気タービンの蒸気流入側での圧力に対して、その流出側である復水器での圧力はできるだけ低いほうが、サイクル効率が高くなることが知られている。しかしながら、この復水器での圧力が過剰に低下した場合には、管継手やシール部等を介して外気が動力サイクル回路側に侵入するなどの原因で、サイクル効率が低下する場合があった。
特に、復水器等において利用される冷熱源として、大気熱等のように、季節の変化などの要因でその温度が大幅に変化するようなものを利用する場合には、冬場などにおいてその冷熱源の温度が極めて低くなって、復水器の圧力が過剰に低下することが懸念される。
【０００６】
また、上記動力システムにおける低沸点媒体の濃度は、サイクル効率を良好なものにすべく決定されているが、復水器で起り得る最低圧力との関係からは決定されていなかった。
【０００７】
従って、本発明は、上記の事情に鑑みてなされたものであり、その目的は、上記サイクルを実現する動力サイクル回路において、サイクル効率を最適化し得る動力システムを実現する点にある。
【課題を解決するための手段】
【０００８】
上記目的を達成するための本発明に係る動力システムは、高沸点媒体と低沸点媒体とを混合してなる作動流体が、当該作動流体の溶液を加熱して蒸気を発生する蒸気発生器と、前記蒸気発生器から供給された前記蒸気により駆動する蒸気タービンと、前記蒸気タービンから排出された前記蒸気を冷却して前記溶液に復水させる復水器と、前記復水器から供給された前記溶液を前記蒸気発生器に供給する供給ポンプとの順に夫々を循環する動力サイクル回路を備えた動力システムであって、その第１特徴構成は、前記動力サイクル回路における前記復水器で起り得る最低圧力が大気圧近傍圧力となるように、前記復水器での前記作動流体の低沸点媒体の濃度が決定され、
前記作動流体が、前記低沸点媒体としてのアンモニアと前記高沸点媒体としての水とを混合してなる水−アンモニア系の作動流体であり、
前記復水器での当該作動流体におけるアンモニア濃度が、前記復水器に通ずる冷却水温度の関数として決定され、
前記蒸気タービンを動力源として駆動する圧縮機を備えたヒートポンプ回路を備え、
前記復水器において前記蒸気を冷却して得た温熱により前記ヒートポンプ回路の蒸発器に通ずる温熱源を加熱するように構成されている点にある。
尚、本発明において、復水器で起り得る最低圧力が設定される大気圧近傍圧力とは、復水器での圧力として設定した場合に、動力サイクル回路への外気の侵入を抑制し得る復水器での圧力範囲において、サイクル効率を許容範囲内に維持できるできるだけ低い圧力を示し、例えば、１０１．３ｋＰａ以上且つ１５１．３の範囲内の圧力とすることができる。
【０００９】
上記のように高沸点媒体と低沸点媒体とを混合してなる非共沸混合媒体を作動流体としてランキンサイクルを実現する上記動力サイクル回路においては、復水器での圧力は、その復水器での作動流体の温度以外に、その復水器での作動流体における低沸点媒体の濃度によって決定される。
そこで、上記第１特徴構成によれば、上記動力サイクル回路における復水器では、その復水器で起り得る最低圧力が大気圧近傍圧力となるように、復水器での作動流体における液部の低沸点媒体の濃度を決定する。よって、復水器の圧力が冬季等において起り得る最低圧力となったときでは、その復水器の圧力が、動力サイクル回路側への外気の侵入を抑制し得る圧力下限以上に維持されていることから、その動力サイクル回路側への外気の侵入によるサイクル効率の低下を抑制することができる。一方、復水器での作動流体における低沸点媒体の濃度が、復水器での圧力がサイクル効率を許容範囲内に維持できるできるだけ低い圧力となるように決定されていることから、復水器での圧力が夏季等において想定し得る最高圧力となったときでも、蒸気タービンの蒸気流入部での圧力に対する復水器の圧力差の縮小によるサイクル効率の低下を最小限に抑制することができる。
【００１０】
【００１１】
そして、本特徴構成によれば、動力サイクル回路を流通する作動流体として、水−アンモニア系の作動流体を利用する場合には、復水器でのその作動流体におけるアンモニア濃度を記復水器に通ずる冷却水温度の関数として決定することにより、復水器で起り得る最低圧力を大気圧近傍に維持することができ、結果、復水器での圧力の過剰低下によるサイクル効率の低下を抑制することができる。
即ち、復水器でのその作動流体におけるアンモニア濃度は、この復水器に通ずる冷却水温度に対して、復水器で起り得る最低圧力が大気圧近傍圧力となる範囲内に決定し、この範囲とは、例えば、冷却水温度が５℃のときには４４．７重量％以上且つ５１．３重量％以下の範囲、冷却水温度が１５℃のときには３８．５重量％以上且つ４４．６重量％以下の範囲、冷却水温度が３２℃のときには２９．０重量％以上且つ３４．６重量％以下の範囲となる。尚、例示した夫々の濃度範囲における冷却水温度は、対応する作動流体の溶液の飽和圧力が１０１．３ｋＰａ〜１５１．３ｋＰａの範囲内にあるときのものである。
また、復水器でのその作動流体におけるアンモニア濃度を、前記復水器に通ずる冷却水温度の関数として決定するのは、この冷却水温度が復水器での作動流体の温度に最も近く、且つ、作動流体の温度よりも低いからである。
そして、上記アンモニア濃度が上記範囲の下限値よりも低い場合には、復水器で起こり得る最低圧力が低くなりすぎて、動力サイクル回路への外気の侵入によるサイクル効率の低下が懸念され、逆に、上記アンモニア濃度が上記範囲の上限値よりも高い場合には、復水器の圧力が高くなって、蒸気タービンの蒸気流入部での圧力に対する復水器の圧力差の縮小によるサイクル効率の低下が懸念される。
さらに、本特徴構成によれば、上記のようなヒートポンプ回路を備え、例えばヒートポンプ回路の凝縮器において暖房用の温熱を生成するように構成する場合には、復水器において前記蒸気を冷却して得た温熱を、蒸発器に供給する温熱源として有効利用することができる。
【００１２】
本発明に係る動力システムの第２特徴構成は、前記蒸気発生器が、前記溶液を高温排熱により加熱し、
前記復水器との間で循環する前記溶液を低温排熱により加熱して前記溶液から前記低沸点媒体の蒸気を分離する再生器を備えて、前記再生器で分離した前記低沸点媒体の蒸気を、前記供給ポンプから前記蒸気発生器までの前記溶液に吸収させる、又は、前記蒸気タービンの低圧段に供給するように構成され、
前記再生器から前記復水器に供給される前記溶液を冷却する冷却器を備えた点にある。
【００１３】
上記第２特徴構成によれば、蒸気発生器において、高温排熱により作動流体の溶液を加熱するので、高い圧力でも作動流体を蒸発させることが可能となり、従って、蒸気タービンの蒸気流入側の圧力を高くすることができる。更に、再生器において、低温排熱により作動流体の溶液を加熱して低沸点媒体の蒸気を分離し、吸収器においてその比較的低圧の低沸点媒体の蒸気を蒸気発生器に供給される溶液に吸収させるように構成することで、高温排熱の熱回収量が増大する。又は、前記蒸気タービンの低圧段に供給するように構成することで、蒸気タービンの少なくとも低圧段に供給される低沸点媒体の蒸気の流量が増加する。結果として、蒸気タービンの軸出力を増加させることができる。
一方、この再生器において低沸点媒体が低濃度となった作動流体の溶液を復水器に返すことで、復水器において、低沸点媒体が低濃度の作動流体の溶液に対して、蒸気タービンから排出される低沸点媒体の蒸気を効率良く吸収させることができる。ここで、復水器で発生する作動流体の凝縮熱と低沸点媒体の吸収熱を効率良く取り去るために、復水器での冷却に加えて、上記冷却器により再生器から復水器に供給される作動流体を冷却すれば、復水器での低沸点媒体の吸収能力を一層高くすることができ、サイクル効率の向上に寄与することができる。
【００１４】
本発明に係る動力システムの第３特徴構成は、冷却用の冷熱源として地中熱を利用するように構成されている点にある。
【００１５】
上記第３特徴構成によれば、上記復水器において利用される冷熱源、更には、上記第３特徴構成で上記冷却器において利用される冷熱源として、季節の変化などによってはその温度が殆ど変化しない地中熱を利用することで、復水器での作動流体の温度の変化を抑制することができる。よって、冬場などにおいて、復水器での圧力の過剰低下によるサイクル効率の低下を抑制すると共に、夏場などにおいて、復水器での圧力をできるだけ低く維持して、蒸気タービンの蒸気流入部での圧力に対する復水器の圧力差の縮小によるサイクル効率の低下を最小限に抑制することができる。また、上記冷熱源の温度が年間を通じて略一定に維持されることから、作動流体における低沸点媒体の濃度の調整の煩わしさからも開放される。
【００１６】
【００１７】
【発明を実施するための最良の形態】
【００１８】
本発明の実施の形態について、図面に基づいて説明する。
図１に示す動力システムは、高温排熱としてのエンジン２０から排出されるエンジン排ガスの排熱を高温排熱とし、エンジン２０を冷却するエンジン冷却水の排熱を低温排熱として、これらエンジン排ガスとエンジン冷却水とから効率良く排熱回収して、蒸気タービン２により軸動力を出力するサイクルを利用するように構成されている。
更に、この動力システムは、低沸点媒体としてのアンモニアと、当該アンモニアを吸収可能な高沸点媒体としての水との水−アンモニア系等の非共沸混合媒体を作動流体として用いた吸収サイクルを利用するように構成されている。
【００１９】
そして、この動力システムは、作動流体の溶液を、排ガス管２１を通じてエンジン２０から供給された排ガスとの熱交換により加熱して作動流体の蒸気を発生する蒸気発生器１、蒸気発生器１から蒸気供給管１１を通じて供給された蒸気により駆動する蒸気タービン２、蒸気タービン２から排出され蒸気排出管１２を通じて供給された蒸気を冷却水との熱交換により冷却して溶液に復水させる復水器３と、復水器３から供給された溶液を、配管１５を通じて蒸気発生器１に供給する供給ポンプ１６との順に、この作動流体を循環させる動力サイクル回路１０を備えて構成されている。
そして、この蒸気タービン２が出力する軸動力は、後述するヒートポンプ回路５０に設けられた圧縮機５１を駆動する駆動源として利用される。
【００２０】
上記復水器３には、冷却水が通流する冷却管３ａが配設され、その冷却管３ａ内に、冷却水ポンプ３１により冷却水回路３０を循環する冷却水が通流することにより、蒸気及び溶液と冷却水との間の熱交換が行われ、蒸気が凝縮して溶液に混合されるときに生じる凝縮潜熱及び混合熱が冷却水により奪われる。
【００２１】
また、復水器３からポンプ１４により配管１７を通じて作動流体の溶液が供給され、エンジン冷却水との熱交換により、その作動流体の溶液を加熱して作動流体から低沸点媒体であるアンモニアの蒸気を分離する再生器４が設けられている。
この再生器４には、エンジン冷却水が通流する加熱管４ａが配設され、その加熱管４ａ内に、エンジン２０との間でポンプ２３により循環されるエンジン冷却水を通流させることにより、作動流体の溶液とエンジン冷却水との熱交換が行われる。
【００２２】
この再生器４でアンモニア蒸気が分離された後の比較的アンモニア濃度が低い作動流体の溶液は、配管１８を通じて復水器３に戻されて、蒸気タービン２から供給された蒸気を吸収した後に再び再生器４に供給される。
【００２３】
また、復水器３から配管１３を通じて供給された作動流体の溶液に、再生器４から配管１８を通じて供給されたアンモニアの蒸気を吸収させ、アンモニア濃度が非常に高い作動流体の溶液を生成する吸収器５が設けられている。
そして、この吸収器５で生成された高濃度の作動流体の溶液が、供給ポンプ１６により配管１５を通じて蒸気発生器１に供給される。
【００２４】
復水器３から再生器４に供給される作動流体の溶液が通流する配管１７と、再生器４から復水器３に供給される作動流体の溶液が通流する配管１８との間で熱交換を行う熱交換器６が設けられている。
即ち、この熱交換器６により、配管１８内を通流し再生器４でエンジン冷却水により加熱されて比較的高温となった溶液と、復水器３で冷却水により冷却され比較的低温となった溶液との熱交換を行って、再生器４における加熱効率、及び、復水器３における冷却効率を向上させることができる。
【００２５】
更に、再生器４から復水器３に供給される作動流体の溶液が通流する配管１８には、上記熱交換器６の下流側に、冷却水回路３０において上記復水器３を通流した後の冷却水との熱交換により、上記溶液を冷却する冷却器７が設けられている。
この冷却器７により、再生器４から復水器３に供給される溶液の温度を一層低くすることができ、復水器３での蒸気タービン２から排出されるアンモニアに対する溶液の吸収能力を高くして、サイクル効率の向上が図られている。
【００２６】
更に、蒸気タービン２から排出された蒸気との熱交換により、温水を生成する熱交換器８が設けられており、この熱交換器８で生成された温水は給湯用や暖房用の温水として利用することができる。
【００２７】
上記冷却水回路３０において、復水器３及び冷却器７を通過して昇温した冷却水は、後述するヒートポンプ回路５０の蒸発器５４の温熱源として利用された後に、地中Ｇに埋設された地中熱交換器３３に供給される。そして、地中熱交換器３３において、地中熱により、冷却水の温度は、季節の変化などによっては殆ど変化しない略一定の温度（例えば１５℃程度）に維持され、再度、ポンプ１４により復水器３に供給される。
即ち、上記復水器３更には冷却器７における冷却用の冷熱源としては、地中熱が利用されている。
【００２８】
これまで説明してきた動力システムにおいて、動力サイクル回路１０における復水器３での冷却水の温度変化等を考慮して起り得る最低圧力が、大気圧近傍圧力の例えば１０１．３ｋＰａ以上且つ１５１．３ｋＰａ以下の範囲内となるように、復水器３での作動流体における低沸点媒体の濃度、即ち、水−アンモニア系の作動流体におけるアンモニア濃度が決定されている。即ち、ランキンサイクルと吸収サイクルとを利用するように構成された従来の動力システムでは、通常、サイクル効率を良好なものにすべく、水−アンモニア系の作動流体のアンモニア濃度が、２７％程度に決定されていた。
これに対して、本実施形態の動力システムでは、復水器３での水−アンモニア系の作動流体のアンモニア濃度が、上記従来の動力サイクルでのアンモニア濃度とは異なって、上記復水器３で起り得る最低圧力が上記大気圧近傍圧力となるように、前記復水器に通ずる冷却水温度の関数として決定されており、例えば、冷却水回路３０を循環する冷却水温度が１５℃の場合には、３８．５重量％以上且つ４４．６重量％以下の範囲内に決定されている。
尚、ここで冷却水回路３０を循環する冷却水温度としては、復水器３の入口側又は出口側の冷却水の温度や、地中熱交換器３３に通ずる冷却水の温度等の何れの箇所において測定した温度を用いても構わない。
また、このようなアンモニア濃度の冷却水温度に応じた調整については、１日毎のバッチ調整で行っても良いし、連続調整ができるように工夫して行っても良い。
【００２９】
よって、復水器３での圧力は、年間を通じて、大気圧より高く、且つ、大気圧に近いほぼ一定の圧力（１０１．３ｋＰａ以上且つ１５１．３の範囲内の圧力）に維持される。
【００３０】
次に、蒸気タービン２を動力源として駆動する圧縮機５１を備えたヒートポンプ回路５０について説明を加える。
上記ヒートポンプ回路５０は、公知の如く、冷媒を圧縮する圧縮機５１と、冷媒を放熱させて凝縮させる凝縮器５２と、冷媒を膨張させて減圧させる膨張弁５３と、冷媒に吸熱させて蒸発させる蒸発器５４との順に夫々を循環するように構成されている。
そして、上記凝縮器５２においては、その冷媒との熱交換により温水を生成し、その温水を給湯用や暖房用の温水として利用することができる。
【００３１】
上記蒸発器５４の温熱源としては、通常では外気熱が利用されるが、本実施形態では、地中熱を熱源としており、それを復水器３更には冷却器７を通過させることにより加熱し、復水器３や冷却器７を冷却して得た温熱が、蒸発器５４に供給される温熱源として追加され有効利用されている。
【００３２】
〔別実施形態〕
（１）上記実施の形態では、蒸気タービン２の軸出力を増加させるために、復水器３と蒸気発生器１との間に吸収器５を設けて、この吸収器５において、復水器３から蒸気発生器１に供給される作動流体の溶液に、再生器４から供給されたアンモニアである低沸点媒体の蒸気を吸収させるように構成したが、この吸収器５を省略すると共に、蒸気タービン３を、蒸気の流通方向において高圧段と低圧段とを直列に配置してなる多段式に構成して、再生器４から供給された低沸点媒体の蒸気を、上記蒸気タービン３の低圧段に供給することで、この蒸気タービン３の低圧段に供給される蒸気の流量を増加させるように構成しても構わない。
【００３３】
（２）上記実施の形態では、冷却器７において、再生器４から復水器３に供給される作動流体の溶液を、冷却水回路３０を流通する冷却水により冷却するように構成したが、この冷却器７の代わりに、地中に埋設された熱交換器を設け、再生器４から復水器３に供給される作動流体の溶液を直接この熱交換器に通流させて、上記溶液を直接地中熱により冷却するように構成しても構わない。
【００３４】
（３）上記実施の形態では、蒸気発生器１及び再生器４の温熱源を、エンジン２０の排熱としたが、ボイラなどの別の温熱源を利用しても構わない。
【００３５】
（４）上記実施の形態では、復水器３及び冷却器７の冷熱源を、地中熱としたが、大気熱などの別の冷熱源を利用しても構わない。
【００３６】
【産業上の利用可能性】
【００３７】
本発明に係る動力システムは、ランキンサイクルやカリーナサイクルを実現する動力サイクル回路において、サイクル効率を最適化し得る動力システムとして有効に利用可能である。
【図面の簡単な説明】
【００３８】
【図１】動力システムの概略構成図
【符号の説明】
【００３９】
１：蒸気発生器
２：蒸気タービン
３：復水器
４：再生器
５：吸収器
７：冷却器
１０：動力サイクル回路
１６：供給ポンプ
３３：地中熱交換器
５０：ヒートポンプ回路
５１：圧縮機
【図１】
0004738225.tif 000002